(57)【要約】【課題】ストロボ光を効率よく利用してズーム撮影することができる電子カメラを提供する。【解決手段】電子カメラ１０は、光学ズームと電子ズームとを備え、ストロボ発光時は電子ズームを優先させてズームさせる。この際、ストロボ１８から照射されるストロボ光の光軸を中心に画像を切り出して電子ズームを行なう。これにより、撮像中心とストロボ光の中心とが一致し、ストロボ１８から照射されたストロボ光を効率よく利用することができ、レンズが暗くなりがちなズーム時においても明るく良好な画像を得ることができる。【選択図】    図３
2004179710.tif 000002
【特許請求の範囲】
【請求項１】
被写体に向けてストロボ光を発光するストロボ発光手段と、
撮像手段により撮像された画像の一部を切り出して被写体の倍率を変化させる電子ズーム手段と、
被写体の倍率変更の指示を与えるズーム操作手段と、
前記ズーム操作手段からの指示に基づいて前記電子ズーム手段を制御する制御手段であって、ストロボ発光時、前記ストロボ発光手段から発光されるストロボ光の光軸を中心に画像を切り出すように前記電子ズーム手段を制御する制御手段と、
を備えたことを特徴とする電子カメラ。
【請求項２】
前記制御手段に制御され、撮影レンズの一部を移動させて被写体の倍率を変化させる光学ズーム手段を備え、ストロボ発光時、前記制御手段は、前記電子ズーム手段で被写体の倍率を変化させた後に前記光学ズーム手段で被写体の倍率を変化させるとともに、前記ストロボ発光手段から発光されるストロボ光の光軸を中心に画像を切り出すように前記電子ズーム手段を制御することを特徴とする請求項１に記載の電子カメラ。
【請求項３】
ストロボ非発光時、前記制御手段は、前記ズーム操作手段からの指示に基づいて前記光学ズーム手段で被写体の倍率を変化させた後、前記電子ズーム手段で前記撮影レンズの光軸を中心に画像を切り出して被写体の倍率を変化させることを特徴とする請求項２に記載の電子カメラ。
【請求項４】
前記ストロボ発光手段は、ストロボ光の照射角度を変化可能に構成され、被写体の倍率変化に応じて照射角度が変化するように前記制御手段に制御されることを特徴とする請求項１、２又は３に記載の電子カメラ。
【発明の詳細な説明】
【０００１】
【発明の属する技術分野】
本発明は電子カメラに係り、特に光学ズーム機能と電子ズーム機能を兼備した電子カメラに関する。
【０００２】
【従来の技術】
ズームレンズは、撮影者が自由に画角を調節できるという利点があるが、一般にテレ側にズームするとＦ値が大きくなり、レンズが暗くなるという不具合がある。このため、暗いシーンなどではストロボ撮影が必要になるが、ストロボ撮影した場合であっても、被写体との距離が離れていると、十分な光が得られず、暗い画像になってしまうという問題がある。
【０００３】
このようなズームレンズの不具合を解消するために、ストロボ撮影が必要になるような暗い状況下では、光学ズームよりもトリミングズームを優先させてズーミングを行なう銀塩カメラも提案されている（たとえば、特許文献１）。このカメラは、ストロボ撮影が必要になるような暗い状況下になると、レンズをワイド端にズームさせて撮影を行い、トリミング情報をフィルムに書き込む。そして、プリント時にフィルムに書き込まれたトリミング情報に基づいてトリミングすることにより、擬似的にズーム撮影したのと同じ効果を得ている。
【０００４】
【特許文献１】
特開２０００−３１０８０２
【０００５】
【発明が解決しようとする課題】
ところで、一般にカメラに備えられたストロボの光軸は、撮影レンズの光軸に対してズレており、また、そのストロボ光の光量は光軸から離れるに従って低下する。
【０００６】
一方、従来のカメラは、トリミングする際、撮影レンズの光軸を中心にトリミングしているため、ストロボから照射したストロボ光を効率よく利用できないという欠点がある。
【０００７】
本発明はこのような事情に鑑みてなされたもので、ストロボ光を効率よく利用してズーム撮影することができる電子カメラを提供する。
【０００８】
【課題を解決するための手段】
請求項１に係る発明は、前記目的を達成するために、被写体に向けてストロボ光を発光するストロボ発光手段と、撮像手段により撮像された画像の一部を切り出して被写体の倍率を変化させる電子ズーム手段と、被写体の倍率変更の指示を与えるズーム操作手段と、前記ズーム操作手段からの指示に基づいて前記電子ズーム手段を制御する制御手段であって、ストロボ発光時、前記ストロボ発光手段から発光されるストロボ光の光軸を中心に画像を切り出すように前記電子ズーム手段を制御する制御手段と、を備えたことを特徴とする電子カメラを提供する。
【０００９】
本発明によれば、ストロボ発光時、ストロボ発光手段から発光されるストロボ光の光軸を中心に画像を切り出して電子ズームが行なわれる。これにより、ストロボ発光手段から発光されるストロボ光を効率よく利用でき、明るく良好な画像を得られる。
【００１０】
また、請求項２に係る発明は、前記目的を達成するために、前記制御手段に制御され、撮影レンズの一部を移動させて被写体の倍率を変化させる光学ズーム手段を備え、ストロボ発光時、前記制御手段は、前記電子ズーム手段で被写体の倍率を変化させた後に前記光学ズーム手段で被写体の倍率を変化させるとともに、前記ストロボ発光手段から発光されるストロボ光の光軸を中心に画像を切り出すように前記電子ズーム手段を制御することを特徴とする請求項１に記載の電子カメラを提供する。
【００１１】
本発明によれば、ストロボ発光時、電子ズームを優先してズーミングを行う。この際、ストロボ発光手段から発光されるストロボ光の光軸を中心に画像を切り出して電子ズームを行う。また、光学ズーム時には、焦点距離に応じて撮像画像中におけるストロボ光の光軸の位置がずれるので、これに合わせて切り出し範囲の中心を補正する。これにより、ストロボ発光手段から発光されるストロボ光を効率よく利用でき、明るく良好な画像を得ることができる。
【００１２】
また、請求項３に係る発明は、前記目的を達成するために、ストロボ非発光時、前記制御手段は、前記ズーム操作手段からの指示に基づいて前記光学ズーム手段で被写体の倍率を変化させた後、前記電子ズーム手段で前記撮影レンズの光軸を中心に画像を切り出して被写体の倍率を変化させることを特徴とする請求項２に記載の電子カメラを提供する。
【００１３】
本発明によれば、ストロボ非発光時には光学ズームを優先してズーミングを行なう。これにより、劣化の少ない良好な画質を得ることができる。
【００１４】
また、請求項４に係る発明は、前記目的を達成するために、前記ストロボ発光手段は、ストロボ光の照射角度を変化可能に構成され、被写体の倍率変化に応じて照射角度が変化するように前記制御手段に制御されることを特徴とする請求項１、２又は３に記載の電子カメラを提供する。
【００１５】
本発明によれば、被写体の倍率変化に応じてストロボ発光手段の照射角度が変化する。これにより、更に効率よくストロボ光を利用でき、より明るく良好な画像を得ることができる。
【００１６】
【発明の実施の形態】
以下、添付図面に従って本発明に係る電子カメラの好ましい実施の形態について説明する。
【００１７】
図１、図２は、それぞれ本発明に係る電子カメラの一実施形態を示す正面斜視図と背面斜視図である。
【００１８】
同図に示すように、本実施の形態の電子カメラ１０のカメラボディ１２は、扁平状の四角い箱型に形成されており、その正面には電源スイッチ１４、撮影レンズ１６、ストロボ１８、ファインダ窓２０、ストロボ調光窓２２等が設けられている。また、カメラボディ１２の上面にはレリーズボタン２４が設けられており、背面にはファインダ接眼部３０、液晶モニタ３２、モードスイッチ３４、ズームボタン３６、マクロボタン３８、ストロボボタン４０、ＭＥＮＵ／ＯＫボタン４２、ＢＡＣＫボタン４４、表示ボタン４６等が設けられている。
【００１９】
カメラボディ１２の正面左隅に設けられた電源スイッチ１４は、カメラ１０のグリップとして機能し、その表面には指がかりとなる円弧状の凸部が突出して形成されている。カメラ１０の電源は、この電源スイッチ１４をカメラボディ１２の正面に沿ってスライド操作することによりＯＮ／ＯＦＦされる。
【００２０】
撮影レンズ１６は、沈胴式のズームレンズで構成されており、電子カメラ１０の電源をオンにすることにより、カメラボディ１２の正面から繰り出される。そして、電子カメラ１０の電源をオフにすることにより、カメラボディ１２内に沈胴する。
【００２１】
カメラボディ１２の上面に設けられたレリーズボタン２４は、いわゆる「半押し」と「全押し」とからなる２段ストロークタイプのボタンで構成されており、「半押し」でＡＦ（Ａｕｔｏ  Ｆｏｃｕｓ：自動焦点合わせ）、ＡＥ（Ａｕｔｏ  Ｅｘｐｏｓｕｒｅ  ：自動露出）が機能し、「全押し」で撮影が実行される。
【００２２】
カメラボディ１２の背面に設けられた液晶モニタ３２は、撮影した画像の再生用モニタとして使用されるとともに、撮影時には電子ビューファインダとして使用される。表示ボタン４６は、この電子ビューファインダのＯＮ／ＯＦＦ切替ボタンとして機能する。
【００２３】
モードスイッチ３４は、電子カメラ１０のモードを切り替えるスイッチとして機能し、その設定位置によって静止画の撮影を行なう「撮影モード」と、撮影した画像を再生する「再生モード」とに切り替えられる。
【００２４】
ズームボタン３６は、上下方向に揺動自在なシーソーボタンで構成されており、ズーム操作時の操作ボタンとして機能する。すなわち、撮影モードの下、このズームボタン３６を上方向に操作することにより、ズームがテレ方向に操作され、下方向に操作することにより、ズームがワイド方向に操作される。
【００２５】
また、このズームボタン３６は、再生モードの下、再生画像のズームボタンとしても機能する。すなわち、再生モードの下、このズームボタン３６を上方向に操作することにより、再生画像が拡大表示され、下方向に操作することにより、再生画像が縮小表示される。
【００２６】
マクロボタン３８は、マクロ機能（接写機能）のＯＮ／ＯＦＦを切り替えるボタンとして機能し、撮影モードの下、このマクロボタン３８を押圧操作することにより、マクロ機能がＯＮ又はＯＦＦされる。また、このマクロボタン３８は、再生モードの下、コマ戻しボタン（１コマ前の画像が表示されるように指示するボタン）として機能する。
【００２７】
ストロボボタン４０は、ストロボモードを切り替えるボタンとして機能し、撮影モードの下、このストロボボタン４０を押圧操作することにより、ストロボモードが、ストロボ発光／発光禁止の各モードに設定される。また、このストロボボタン４０は、再生モードの下、コマ送りボタン（１コマ後の画像が表示されるように支持するボタン）として機能する。
【００２８】
ＭＥＮＵ／ＯＫボタン４２は、メニュー画面の表示を指示するボタンとして機能し、このＭＥＮＵ／ＯＫボタン４２が押されることにより、液晶モニタ３２にメニュー画面が表示される。また、このＭＥＮＵ／ＯＫボタン４２は、メニュー画面から選択した項目の確定や動作の実行を指示するボタンとして機能し、ＢＡＣＫボタン４４は、メニュー画面で選んだ項目の取消や一つ前の状態に戻すことを指示するボタンとして機能する。
【００２９】
なお、このメニュー画面が表示されている場合において、ズームボタン３６、マクロボタン３８、ストロボボタン４０の３つのボタンは、十字キーとして機能し、この３つのボタンを利用してメニュー項目の選択等が行なわれる。
【００３０】
図３は、本実施の形態の電子カメラ１０の内部構成を示すブロック図である。
【００３１】
同図に示すように、電子カメラ１０は、内部に撮像素子（ＣＣＤ）５０、アナログ信号処理回路５２、Ａ／Ｄ変換器５４、画像入力コントローラ５６、メモリ５８、画像信号処理回路６０、電子ズーム回路６２、ビデオエンコーダ６４、ＡＦ検出回路６８、ＡＥ・ＡＷＢ検出回路６６、圧縮伸張処理回路７０、メモリコントローラ７２、記録メディア７４、ＲＯＭ７６、ストロボ発光回路７８、ズーム駆動装置８０、ズーム駆動回路８２、操作スイッチ回路部８４、ＣＰＵ８８等を備えている。
【００３２】
カメラボディ１２に設けられた電源スイッチ１４、レリーズボタン２４、モードスイッチ３４、ズームボタン３６等の各操作部材の操作情報は、操作スイッチ回路部８４で個別に検出され、操作信号としてＣＰＵ８８に入力される。ＣＰＵ８８は、この操作スイッチ回路部８４から入力される操作信号に基づいてシステムを制御する。ＲＯＭ７６には、このＣＰＵ８８が実行するカメラの制御プログラムや制御に必要な各種設定データ等が格納されている。
【００３３】
ストロボ１８は、ＣＰＵ８８からの制御信号に基づいてストロボ発光回路７８によって発光が制御される。このストロボ１８は、ズームストロボで構成されており、ズーム駆動装置８０に駆動されて照射角度が変化する。ズーム駆動装置８０は、ズーム駆動回路８２を介してＣＰＵ８８に駆動が制御され、ＣＰＵ８８は、撮像画角の変化（被写体の倍率変化）に応じてストロボ光の照射角度を変化させる。
【００３４】
撮影レンズ１６は、その一部を構成するズームレンズ群１６Ａをズームレンズ駆動装置９２で光軸に沿って移動させることにより変倍する。ズームレンズ駆動装置９２は、ズームレンズ駆動回路９４を介してＣＰＵ８８に駆動制御されており、ＣＰＵ８８は、操作スイッチ回路部８４から入力されるズームボタン３６の操作情報に基づいてズームレンズ駆動装置９２を駆動する。
【００３５】
また、ズームエンコーダ９６は、このズームレンズ群１６Ａの位置を検出し、検出した位置情報をＣＰＵ８８に出力する。ＣＰＵ８８は、このズームエンコーダ９６によって検出されたズームレンズ群１６Ａの位置情報に基づいて撮影レンズ１６の焦点距離を検出する。
【００３６】
さて、撮影モードの下、被写体を示す画像光は、撮影レンズ１６を介してＣＣＤ５０の受光面上に結像される。ＣＣＤ５０の受光面には、多数のフォトセンサが配列されており、受光面に結像された被写体の光学像は、各フォトセンサによって入射光量に応じた量の信号電荷に変換される。各フォトセンサに蓄積された信号電荷は、タイミングジェネレータ（ＴＧ）９０から与えられるタイミングパルスに従って順次読み出され、信号電荷に応じた電圧信号としてアナログ信号処理回路５２に出力される。
【００３７】
アナログ信号処理回路５２は、相関二重サンプリング処理回路（ＣＤＳ）及び増幅器（ＡＭＰ）を含み、ＣＣＤ５０から順次読み出された電圧信号は、ここで各画素ごとのＲＧＢ信号がサンプリングホールドされ、増幅される。そして、アナログ信号処理回路５２から出力されたアナログのＲＧＢ信号は、Ａ／Ｄ変換器５４によってデジタルのＲＧＢ信号に変換されたのち、画像入力コントローラ５６を介してメモリ５８に一時格納され、メモリ５８から画像信号処理回路６０に入力される。
【００３８】
画像信号処理回路６０は、入力された画像信号に対して、オフセット処理、ホワイトバランス補正及び感度補正を含むゲイン・  コントロール処理、ガンマ補正処理等の所定の信号処理を行い、その処理後の画像データをメモリ５８に出力する。
【００３９】
また、画像データは、必要に応じて画像信号処理回路６０から電子ズーム回路６２に加えられる。電子ズーム回路６２は、画像の拡大／縮小処理を行う。すなわち、撮像画像の一部を切り出し、その切り出し範囲を拡大／縮小することにより、画像の拡大／縮小処理を行なう。そして、その拡大／縮小後の画像データをメモリ５８に出力する。
【００４０】
メモリ５８に書き込まれた画像データは、ビデオエンコーダ６４に出力され、ＮＴＳＣ方式などの所定の信号形式に変換されたのち液晶モニタ３２に出力される。撮影者は、この液晶モニタ３２に表示される画像（スルー画像）をもとに構図を決定し、ピント状態を確認する。
【００４１】
そして、この状態でレリーズボタン２４が半押しされることにより、ＡＥ・ＡＦが作動し、Ａ／Ｄ変換器５４から出力される画像データが、画像入力コントローラ５６を介してＡＥ・ＡＷＢ検出回路６６並びにＡＦ検出回路６８に入力される。
【００４２】
ＡＥ・ＡＷＢ検出回路６６は、撮像領域を６４分割（水平８、垂直８）して得られる各分割領域ごとにＲＧＢの画像データをＲＧＢごとに積算し、各領域ごとのＲＧＢごとの積算データをＣＰＵ８８に出力する。ＣＰＵ８８は、このＡＥ・ＡＷＢ検出回路６６から入力された積算データに基づいて被写体の明るさ（ＥＶ値）を算出し、このＥＶ値に基づいて絞り値及びシャッタ速度を決定する。
【００４３】
一方、ＡＦ検出回路６８は、あらかじめ設定された特定のフォーカスエリア（たとえば、撮像領域の中央）内における画像のコントラストをあらわすコントラスト評価値を算出し、そのコントラスト評価値をＣＰＵ８８に出力する。ＣＰＵ８８は、このＡＦ検出回路６８から入力されたコントラスト情報に基づいて撮影レンズ１６をＡＦ制御し、主要被写体にピントを合わせる。
【００４４】
ＡＥ・ＡＦが完了し、レリーズボタン２４が全押しされると、ＣＰＵ８８は、決定した絞り値になるように図示しない絞りの開口量を制御するとともに、決定したシャッタ速度となるようにＣＣＤ５０の電荷蓄積時間を制御する。また、必要に応じてストロボ発光回路７８を介してストロボ１８からストロボ光を発光させる。
【００４５】
このようにして撮像された１コマ分の画像データは、アナログ信号処理回路５２、Ａ／Ｄ変換器５４を介して画像入力コントローラ５６からメモリ５８に格納される。そして、このメモリ５８から画像信号処理回路６０に読み出され、ここで輝度データ及び色差データの生成処理（ＹＣ処理）を含む所定の信号処理が行われる。
【００４６】
信号処理後の画像データは、一旦メモリ５８に記憶されたのち、圧縮伸張処理回路７０に出力され、ここでＪＰＥＧ  （Ｊｏｉｎｔ  Ｐｈｏｔｇｒａｐｈｉｃ  Ｅｘｐｅｒｔｓ  Ｇｒｏｕｐ）などの所定の圧縮処理が施される。この後、圧縮された画像データは、メモリ５８に一時的に格納されたのち、メモリコントローラ７２を介してカードスロットに装着された記録メディア７４に記録される。
【００４７】
このようにして撮影、記録された画像データは、カメラのモードを再生モードに設定することにより、記録メディア７４から読み出され、液晶モニタ３２上に再生表示される。すなわち、モードスイッチ３４を再生モードに設定すると、記録メディア７４に記録されている画像データがメモリ５８に読み出され、メモリ５８から圧縮伸張処理回路７０に出力される。そして、圧縮伸張処理回路７０で伸張処理が施されたのち、ビデオエンコーダ６４を介して液晶モニタ３２に出力される。これにより、記録メディア７４に記録されている画像データが、液晶モニタ３２上に再生表示される。
【００４８】
さて、上述したように本実施の形態の電子カメラ１０は、ズーム機能を備えており、ズームボタン３６の操作によって被写体の倍率が変化する。このズームには、撮影レンズ１６の一部を移動させることによって被写体の倍率を変化させる光学ズームと、撮像画像の一部を切り出すことによって被写体の倍率を変化させる電子ズームがある。
【００４９】
本実施の形態の電子カメラ１０は、両方のズーム機能を備えており、ストロボ１８を使わない通常撮影は光学ズームを優先し、ストロボ撮影は電子ズームを優先するように制御される。そして、ストロボ撮影時は、ストロボ１８から照射されるストロボ光の光軸を中心に画像を切り出して電子ズームを行なうように制御される。すなわち、図４（ａ）に示すように、一般に電子ズームは、撮影レンズ１６の光軸（撮像エリアの中央）を中心に撮像画像の一部を切り出してズームするが、本実施の形態の電子カメラ１０では、ストロボ発光時にズームを行なう場合、同図（ｂ）に示すように、ストロボ１８から照射されるストロボ光の光軸を中心に画像を切り出してズームする。この電子ズームは、光学ズームのワイド端で実行され、電子ズームがテレ端に到達すると、光学ズームに切り替わる。
【００５０】
ここで、図５に示すように、ストロボ１８から照射されるストロボ光の光軸は、光学ズームがワイド端からテレ端に向かってズームするに従って撮影レンズ１６の光軸から離れてゆく。
【００５１】
そこで、電子ズームから光学ズームに移行した後は、光学ズームの倍率変化に伴うストロボ光の光軸のズレに追従させて電子ズームの切り出し範囲を移動させる。すなわち、常に切り出し範囲の中心が、ストロボの光の光軸と一致するように切り出し範囲を移動させる。ＲＯＭ７６には、この光学ズームの倍率変化に伴うストロボ光の光軸の移動軌跡のデータが記憶されている。
【００５２】
このように、ストロボ１８から照射されるストロボ光の光軸を中心に電子ズームを行なうことにより、ストロボ光を効率よく利用することができる。
【００５３】
また、本実施の形態の電子カメラ１０のストロボ１８は、ズームストロボであることから、撮像エリアにストロボ光を集中させることができ、その集中させた光を効率よく利用することができる。
【００５４】
図６は、ズーム操作時における処理の手順を示すフローチャートである。まず、ストロボ発光の有無が判断される（ステップＳ１０）。すなわち、ＣＰＵ８８は、操作スイッチ回路部８４から入力されるストロボボタン４０の操作情報に基づいてストロボモードを検出し、ストロボモードがストロボ発光モードに設定されているか否か判断する。
【００５５】
ここで、ストロボモードがストロボ発光モードに設定されている場合は、光学ズームをワイド端に移動させる（ステップＳ１２）。そして、ズーム操作の有無を監視し（ステップＳ１４）、撮影者がズーム操作を行なった場合は、電子ズームの可動範囲内で被写体の倍率を変更させる（ステップＳ１６）。この際、電子ズームは、ストロボ１８から照射されるストロボ光の光軸を中心に撮像画像を切り出して被写体の倍率を変化させる。ＣＰＵ８８は、この電子ズームの可動範囲を超えてズーム操作が行なわれたか否かを監視し（ステップＳ１８）、電子ズームの可動範囲内で画角が決められた場合は、そのままレリーズボタン２４の押下操作に従って撮影・記録処理を実行する（ステップＳ２０）。
【００５６】
一方、電子ズームの可動範囲を超えてテレ方向にズーム操作が行なわれた場合は、続けて光学ズームを作動させる（ステップＳ２２）。そして、この光学ズームの可動範囲内で被写体の倍率を変化させる。この際、上述したように光学ズームの倍率変化に伴うストロボ光の光軸のズレに追従させて電子ズームの切り出し範囲を移動させる。そして、この光学ズームの可動範囲内で画角が決められた場合は、そのままレリーズボタン２４の押下操作に従って撮影・記録処理を実行する（ステップＳ２０）。なお、光学ズームの可動範囲を超えてワイド方向にズーム操作が行なわれた場合は、光学ズームから電子ズームに切り替えて被写体の倍率を変化させる。
【００５７】
このように、ストロボモードがストロボ発光モードの場合は、電子ズームを優先させて実行し、電子ズームの可動範囲を超えてテレ方向に操作された場合にのみ光学ズームを使用する。
【００５８】
一方、ストロボモードが発光禁止モードに設定されている場合は、光学ズームを優先させて作動させる。すなわち、ＣＰＵ８８は、ズーム操作の有無を監視し（ステップＳ２４）、撮影者がズーム操作を行なった場合は、光学ズームの可動範囲内で被写体の倍率を変化させる（ステップＳ２６）。
【００５９】
そして、この光学ズームの可動範囲を超えてズーム操作が行なわれたか否かを監視し（ステップＳ２８）、光学ズームの可動範囲内で画角が決められた場合は、そのままレリーズボタン２４の押下操作に従って撮影・記録処理を実行する（ステップＳ２０）。
【００６０】
一方、光学ズームの可動範囲を超えてテレ方向にズーム操作が行なわれた場合は、続けて電子ズームを作動させる（ステップＳ３０）。そして、この電子ズームの可動範囲内で被写体の倍率を変化させる。この際、電子ズームは、撮影レンズ１６の光軸を中心に撮像画像を切り出して被写体の倍率を変化させる。そして、この電子ズームの可動範囲内で画角が決められた場合は、そのままレリーズボタン２４の押下操作に従って撮影・記録処理を実行する（ステップＳ２０）。なお、電子ズーム時に電子ズームの可動範囲を超えてワイド方向にズーム操作が行なわれた場合は、電子ズームから光学ズームに切り替えて被写体の倍率を変化させる。
【００６１】
このように、ストロボモードが発光禁止モードの場合は、光学ズームを優先させて実行し、光学ズームの可動範囲を超えてテレ方向に操作された場合にのみ電子ズームを使用する。
【００６２】
以上説明したように、本実施の形態の電子カメラ１０では、ストロボ発光時にズーム操作が行なわれると、光学ズームのワイド端の位置で電子ズームが優先して作動する。これにより、レンズが暗くなりがちなズームレンズであっても、比較的明るい（Ｆ値の小さい）ワイド端の位置でズームを行なうことができ、明るく良好な画像を得ることができる。
【００６３】
また、電子ズーム時にストロボ光の光軸を中心に画像を切り出して電子ズームを行なうので、ストロボ光の中心と撮像画像の中心とを一致させることができ、ストロボ光を効率よく利用することができる。これにより、明るく良好な画像を得ることができる。
【００６４】
特に、本実施の形態の電子カメラ１０は、ストロボ１８をズームストロボとしているので、撮像エリアに集中させた光を無駄なく利用することができ、より明るく良好な画像を得ることができる。
【００６５】
なお、本実施の形態では、光学ズームと電子ズームを併用してズームする電子カメラに本発明を適用した例で説明したが、電子ズームのみを備えた電子カメラカメラにも同様に本発明を適用することができる。この場合もストロボ発光時はストロボ光の光軸を中心に画像を切り出して電子ズームを実行する。また、この場合もストロボはズームストロボとすることが好ましく、被写体の倍率変化に応じて照射角度を変化させることが好ましい。
【００６６】
また、本実施の形態の電子カメラ１０には、光学ファインダが備えられているが、電子ズームは常に液晶モニタ３２の表示をＯＮにし、スルー画像を表示させるようにすることが好ましい。
【００６７】
また、光学ファインダの中に視野枠等を設け、ズームに連動して視野枠が移動するように構成してもよい。
【００６８】
【発明の効果】
以上説明したように、本発明によれば、ストロボ発光時にストロボ発光手段から発光されるストロボ光の光軸を中心に画像を切り出して電子ズームが行なわれるので、ストロボ光を効率よく利用することができる。これにより、明るく良好な画像を得ることができる。
【図面の簡単な説明】
【図１】本発明が適用された電子カメラの一実施形態を示す正面図
【図２】本発明が適用された電子カメラの一実施形態を示す背面図
【図３】電子カメラの内部構造を示すブロック図
【図４】電子ズームの説明図
【図５】電子ズームの説明図
【図６】ズーム操作時における処理の手順を示すフローチャート
【符号の説明】
１０…電子カメラ、１２…カメラボディ、１４…電源スイッチ、１６…撮影レンズ、１６Ａ…ズームレンズ群、１８…ストロボ、２０…ファインダ窓、２２…ストロボ調光窓、２４…レリーズボタン、３０…ファインダ接眼部、３２…液晶モニタ、３４…モードスイッチ、３６…ズームボタン、３８…マクロボタン、４０…ストロボボタン、４２…ＭＥＮＵ／ＯＫボタン、４４…ＢＡＣＫボタン、４６…表示ボタン、５０…撮像素子（ＣＣＤ）、５２…アナログ信号処理回路、５４…Ａ／Ｄ変換器、５６…画像入力コントローラ、５８…メモリ、６０…画像信号処理回路、６２…電子ズーム回路、６４…ビデオエンコーダ、６６…ＡＥ・ＡＷＢ検出回路、６８…ＡＦ検出回路、７０…圧縮伸張処理回路、７２…メモリコントローラ、７４…記録メディア、７６…ＲＯＭ、７８…ストロボ発光回路、８０…ズーム駆動装置、８２…ズーム駆動回路、８４…操作スイッチ回路部、８８…ＣＰＵ、９０…タイミングジェネレータ（ＴＧ）、９２…ズームレンズ駆動装置、９４…ズームレンズ駆動回路、９６…ズームエンコーダ
【図１】
2004179710.tif 000003
【図２】
2004179710.tif 000004
【図３】
2004179710.tif 000005
【図４】
2004179710.tif 000006
【図５】
2004179710.tif 000007
【図６】
2004179710.tif 000008